(57)【要約】【課題】就寝時に快適な寝心地感が得られる優れた弾性を備え、かつ、ウッドスプリングを分解・取り付けが容易なウッドスプリングベッドを提供する。【解決手段】ウッドスプリング５の支持部材７は、ウッドスプリング５と左右一対の嵌合凹部６、嵌合凹部６，６を連結する連結板部６ａ、取付基板９、上下方向に撓む左右一対の湾曲状の腕片１１を有している。取付基板９に位置決めボス部１５と軸部２０を形成し、ベース基板８には位置決め孔部１６と係合孔２１を形成する。支持部材７を装着する際、位置決め孔部１６と係合孔２１に位置決めボス部１５と軸部２０を挿入し、クリップ３０を軸部２０に形成する取付溝部２５に係止してベース基板８に支持部材７を抜け止め保持する。【選択図】      図２
2004215717.tif 000002
【特許請求の範囲】
【請求項１】
ベッドフレームに装着される可撓性を有する多数の板材からなるウッドスプリングと、このウッドスプリングの両端部を装着して該ウッドスプリングを平行させて装着するばね性を備えた支持部材と、この支持部材を前記ベッドフレームに装着する取付部材と、この取付部材と前記支持部材とを着脱自在に連結する連結部材とからなることを特徴とするウッドスプリングベッド。
【請求項２】
前記支持部材が前記板材の端部を嵌め入れる嵌合凹部と、前記取付部材に固定する取付基板と、この取付基板と前記嵌合凹部とを連結する可撓性を有する左右一対の腕部とで構成し、前記取付基板と前記取付部材の一方に係合部を形成するとともに、他方には該係合部と係合可能な係合受部を形成し、この係合受部に係合した前記係合部を抜け止めする着脱自在な止め具を設けたことを特徴とする請求項１記載のウッドスプリングベッド。
【請求項３】
前記係合部が軸部から成り、この軸部と嵌合する係合孔によって前記係合受部を構成するとともに、前記止め具が可撓性を有するクリップから成り、このクリップと係止する取付溝部を前記軸部の外周に設けたことを特徴とする請求項２記載のウッドスプリングベッド。
【発明の詳細な説明】
【０００１】
【産業上の利用分野】
本発明は、ベッドの床板として板バネを使用するウッドスプリングベッドに関する。
【０００２】
【従来の技術】
従来からベッド床面にはクッション性を付与するために内部にばね材を内蔵するマットレスを敷設しているが、このようなマットレスを支持する床面を多数の板材からなるウッドスプリングで構成したウッドスプリングベッドが特許文献１で開示されている。このウッドスプリングベッドで用いられるウッドスプリングは薄板を積層し、周縁部を同一仮想平面上にある平板状に構成され、その内側に多数のスリットを形成することによって、上方に湾曲した短冊状のウッドスプリングを構成している。
【０００３】
【特許文献１】
特開平８−１１７０６１号
【０００４】
【発明が解決しようとする課題】
従来のウッドスプリングは、短冊状の板ばねの周縁部分は一体に連続していることから、ベッドの設置位置を変える場合において、ベッドフレームからのウッドスプリングの分解・組み立ての際、ウッドスプリングが大型で作業が面倒であるうえ、運搬にも不便である。また、各ウッドスプリングは周縁部分で一体化しているため、例えば、１本のウッドスプリングが破損した場合などにおいても、ウッドスプリング全体を交換する必要があるため、コスト的な面で費用が嵩むとともに、板ばねの周縁部分がベッドフレームに直接的に固定されているため、ウッドスプリング自体のばね性しか望めないから、クッション性が劣るという問題があった。
【０００５】
本発明は、このような課題を解決し、ウッドスプリングの分解・組み立てが容易であるとともに、優れたクッション性が得られるウッドスプリングベッドを提供することを目的とする。
【０００６】
【課題を解決するための手段】
請求項１のウッドスプリングベッドは、ベッドフレームに装着される可撓性を有する多数の板材からなるウッドスプリングと、このウッドスプリングの両端部を装着して該ウッドスプリングを平行させて装着するばね性を備えた支持部材と、この支持部材を前記ベッドフレームに装着する取付部材と、この取付部材と前記支持部材とを着脱自在に連結する連結部材とからなるものである。
【０００７】
上記構成により、ウッドスプリングに就寝者の荷重が加わると、多数のウッドスプリングが支持部材を介してベッド本体に支持されているから、互い隣接するウッドスプリングが影響を受けることなく、各ウッドスプリングが独立して荷重を受けて弾性変形する。これにより、各ウッドスプリングの１本、１本が使用者の体のラインに沿うように変形し、優れたフィット感が得られる。さらに、ウッドスプリングを取り付ける支持部材が就寝者の荷重を受けることによって、弾性変形する。
【０００８】
請求項２のウッドスプリングベッドは、請求項１記載のウッドスプリングベッドにおいて、前記支持部材が前記板材の端部を嵌め入れる嵌合凹部と、前記取付部材に固定する取付基板と、この取付基板と前記嵌合凹部とを連結する可撓性を有する左右一対の腕部とで構成し、前記取付基板と前記取付部材の一方に係合部を形成するとともに、他方には該係合部と係合可能な係合受部を形成し、この係合受部に係合した前記係合部を抜け止めする着脱自在な止め具を設けたものである。
【０００９】
上記構成により、２本のウッドスプリングの端部を支持部材の嵌合凹部に嵌め入れて支持部材にウッドスプリングを装着し、これをベッド本体に固定する際、取付部材又は取付基板の一方に形成する係合部を取付部材又は取付基板の他方に形成する係合受部に挿入し、係合部に止め具を嵌め入れることによって、支持部材の取付基板が取付部材に抜け止め保持される。
【００１０】
請求項３のウッドスプリングベッドは、請求項２記載のウッドスプリングベッドにおいて、前記係合部が軸部から成り、この軸部と嵌合する係合孔によって前記係合受部を構成するとともに、前記止め具が可撓性を有するクリップから成り、このクリップと係止する取付溝部を前記軸部の外周に設けたものである。
【００１１】
上記構成により、軸部に形成する取付溝部にクリップを嵌め入れることによって、取付基板が取付部材に抜け止め保持される。
【００１２】
【発明の実施形態】
以下、本発明の実施例について図１〜図３を参照して説明する。なお、本実施例では、ダブルベッド型のウッドスプリングベッドを示している。ウッドスプリングベッドのベッドフレーム１は、枠状のベッド本体２と、ヘッドボード３とから構成されている。また、ベッド本体２のサイドボード２Ａ内側には板ばねから成るウッドスプリング５の外端部を支持する受部４が設けられ、ダブルベッド型のウッドスプリングベッドである本実施例においては、ベッド本体２の中央部にウッドスプリング５を内端部を支持する桟板４Ａがそれぞれベッドフレーム１の全長に渡って設けられている。
【００１３】
７は２本のウッドスプリング５を一体的に固定する支持部材であり、この支持部材７によって、２本のウッドスプリング５を一体化して位置決めするようにしている。支持部材７は可撓性を有する合成樹脂によって一体形成され、これにより、ウッドスプリング５の端部を嵌合する左右一対の嵌合凹部６，６と、この嵌合凹部６，６を一体化する連結板部６ａと、後述する取付部材たるベース基板８に連結する平板状の取付基板９及びこの取付基板９と前記嵌合凹部６，６とを連結するクッション部１０とで構成されている。クッション部１０は、上下方向に撓む左右一対の湾曲状の腕片１１を有し、ウッドスプリング５に荷重が加わった際、腕片１１が上下方向に撓むようになっている。また、取付基板９の裏面側には、割溝１５ａを有する左右一対の位置決めボス部１５と、これら位置決めボス部１５の間に位置して係合部たる軸部２０が突設され、前記ベース基板８には位置決めボス部１５と軸部２０と対応する位置に位置決め孔部１６と係合受部たる係合孔２１が形成されている。前記軸部２０の先端側外周面には環状の取付溝部２５が形成され、前記ベース基板８から突出した軸部２０の取付溝部２５に止め具たる可撓性を有するクリップ３０を嵌め入れることによって、ベース基板８に支持部材７を固定するようにしている。
【００１４】
ベース基板８の周縁には周壁部３１が垂設されるとともに、係合孔２１を挟むようにして左右一対の立ち上り壁３２が形成され、この立ち上り壁３２の内壁に受部３３が形成されている。そして、ベース基板８と受部３３との間に形成される溝部３２ａに前記クリップ３０が嵌め入れられている。すなわち、クリップ３０の外形は溝部３２ａに嵌り込む矩形状に形成されている。なお、図２において、３５はベース基板８に形成するねじ３６の通し孔、３７は受部４、桟板４Ａにベース基板８を位置決めする突起である。
【００１５】
以上のように構成される本実施例の実施例について説明する。
【００１６】
まず、２本のウッドスプリング５の端部を支持部材７の嵌合凹部６，６に嵌め入れて支持部材７にウッドスプリング５を装着する。これにより、２本のウッドスプリング５は、支持部材７に平行に組み付けられる。一方、支持部材７を固定するベース基板８は、ベッド本体２の受部４及び桟板４Ａにねじ３６によって固定されている。そして、ベース基板８に支持部材７を装着する際、ベース基板８に形成する位置決め孔部１６と係合孔２１にそれぞれ取付基板９の裏面側に形成する位置決めボス部１５と軸部２０を挿入する。この時、軸部２０が取付基板９の裏面側に突出し、軸部２０の先端に形成する取付溝部２５が受部３３の内側に位置する。そして、ベース基板８の周壁部３１に形成する開口部３１ａからベース基板８と受部３３との間に形成される溝部３２ａにクリップ３０が嵌め入れ、このクリップ３０を軸部２０に形成する取付溝部２５に係止することにより、ベース基板８に支持部材７を抜け止め保持する。そして、順次、ベッド本体２の受部４及び桟板６に固定されたベース基板８にウッドスプリング５を装着した支持部材７を装着することによって、上方に湾曲する緩やかな円弧状に成形された多数のウッドスプリング５が互いに平行し、かつ、等間隔毎に並んでベッド本体２に取り付けられる。こうしてベッド本体２に装着されるウッドスプリング５は、ウッドスプリング５自体の弾性並び支持部材７のクッション部１０となる上下方向に撓む左右一対の湾曲状の腕片１１で支持され、ウッドスプリング５上に図示しないマットレスを敷設してベッドが完成する。そして、使用者はマットレスに就寝する際、ウッドスプリング５に就寝者の荷重が加わることになるが、多数のウッドスプリング５が支持部材７を介してベッド本体２に支持されているから、互い隣接するウッドスプリング５が影響を受けることなく、各ウッドスプリング５が独立して荷重を受けて弾性変形する。これにより、各ウッドスプリング５の１本、１本が使用者の体のラインに沿うように変形し、優れたフィット感が得られる。さらに、ウッドスプリング５を取り付ける支持部材７も可撓性を有する合成樹脂によって成形されているため、就寝者の荷重を受けることによって、弾性変形する。すなわち、クッション部１０の腕片１１は、ウッドスプリング５に荷重が加わった際、上下方向に撓むように変形し、かつ、互い隣接するウッドスプリング５が就寝者の体のラインに沿うよう凸円弧状あついは凹円弧状に変形する際、連結板部６ａ及び取付基板９が凸円弧状あるいは凹円弧状に変形する。
【００１７】
以上のように、本実施例においては、就寝者の荷重を受けるウッドスプリング５を弾性変形な支持部材７によってベッド本体２に装着することにより、就寝者の荷重が各ウッドスプリング５に加わった際、ウッドスプリング５と支持部材７が撓んで優れたクッション性が得られる。しかも、互い隣接するウッドスプリング５が就寝者の体のラインに沿うように変形するから、優れたフィット感が得られる。また、ウッドスプリング５の取り付けに際しては、ベース基板８に形成する位置決め孔部１６と係合孔２１にそれぞれ取付基板９の裏面側に形成する位置決めボス部１５と軸部２０を挿入し、クリップ３０を軸部２０に形成する取付溝部２５に係止することにより、ワンタッチで固定することができる。したがって、ウッドスプリング５の分解・組み立て作業が容易であるとともに、ウッドスプリング５を分解した際、個々のウッドスプリング５を単体で分解することが可能であるから、ウッドスプリング５をコンパクトに分解することができ、特にダブルベッドなど大型なベッドにおいては、その運搬が容易であるとともに、運搬時にウッドスプリング５が嵩張ることなく、輸送コストも低減できる。
【００１８】
以上、本発明の一実施例について詳述したが、本発明の前記実施例に限定されるものではなく、本発明の要旨の範囲内で種々の変形実施が可能である。例えば、前記実施例ではダブルベッドを示したがシングル型でもよく、ベッドの基本的構造は、適宜選定すればよい。また、前記実施例では、取付基板に係合部たる軸部を形成し、ベース基板側に係合受部たる係合孔を形成した例を示したが逆に取付基板に係合孔、ベース基板側に軸部を形成してもよい。また、その係合部と係合受部の形状や構造は必ずしも軸部と係合孔に限らず適宜選定すればよい。また、軸部に係止する止め具もクリップに限るものではない。
【００１９】
【発明の効果】
請求項１のウッドスプリングベッドによれば、ベッドフレームに装着される可撓性を有する多数の板材からなるウッドスプリングと、このウッドスプリングの両端部を装着して該ウッドスプリングを平行させて装着するばね性を備えた支持部材と、この支持部材を前記ベッドフレームに装着する取付部材と、この取付部材と前記支持部材とを着脱自在に連結する連結部材とからなるものであるから、就寝者の荷重が各ウッドスプリングに加わった際、ウッドスプリングと支持部材が撓んで優れたクッション性が得られる。しかも、互い隣接するウッドスプリングが就寝者の体のラインに沿うよう変形するから、優れたフィット感が得られる。
【００２０】
請求項２のウッドスプリングベッドによれば、請求項１記載のウッドスプリングベッドにおいて、前記支持部材が前記板材の端部を嵌め入れる嵌合凹部と、前記取付部材に固定する取付基板と、この取付基板と前記嵌合凹部とを連結する可撓性を有する左右一対の腕部とで構成し、前記取付基板と前記取付部材の一方に係合部を形成するとともに、他方には該係合部と係合可能な係合受部を形成し、この係合受部に係合した前記係合部を抜け止めする着脱自在な止め具を設けたものであるから、ウッドスプリングの取り付けに際しては、係合部と係合受部とを係合し、係合部に止め具を係止することにより、ワンタッチで固定することができる。したがって、ウッドスプリングの分解・組み立て作業が容易であるとともに、ウッドスプリングを分解した際、個々のウッドスプリングを単体で分解することが可能であるから、ウッドスプリングをコンパクトに分解することができ、特にダブルベッドなど大型なベッドにおいては、その運搬が容易であるとともに、運搬時にウッドスプリング５が嵩張ることなく、輸送コストも低減できる。
【００２１】
請求項３のウッドスプリングベッドは、請求項２記載のウッドスプリングベッドにおいて、前記係合部が軸部から成り、この軸部と嵌合する係合孔によって前記係合受部を構成するとともに、前記止め具が可撓性を有するクリップから成り、このクリップと係止する取付溝部を前記軸部の外周に設けたものであるから、クリップを軸部に形成する取付溝部に係止することにより、ワンタッチで固定することができる。
【図面の簡単な説明】
【図１】本発明の一実施例を示すベッドの全体斜視図である。
【図２】同上、ウッドスプリングの取付状態を示す分解斜視図である。
【図３】同上、ウッドスプリングの取付状態を示す断面図である。
【符号の説明】
１    ベッドフレーム
５    ウッドスプリング
７    支持部材
６    嵌合凹部
７    連結板部
８    ベース基板（取付部材）
９    取付基板
１１    腕片
２０    軸部（係合部）
２１    係合孔（係合受部）
２５    取付溝部
３０    クリップ（止め具）
【図１】
2004215717.tif 000003
【図２】
2004215717.tif 000004
【図３】
2004215717.tif 000005